(57)【要約】【課題】  小売店舗における商品の盗難を防止すること。【解決手段】  小売店舗に商品を入荷した後、当該小売店舗において、印字装置１０を用いて、前記商品のパッケージに当該小売店舗のブランド表示を含む識別子を印字する。印字装置としての刻印装置１０は、ドット文字列を刻印するための複数のピン又は突起５が円周面に設けられたローラ４と、このローラを回転可能に支持する回転軸３と、この回転軸を支持するガイド２とを備える。前記複数のピン又は突起５は、商品のパッケージに押圧されながら、前記ローラ４が回転することにより、当該商品のパッケージに小売店舗のブランド表示を含む識別子を刻印するように配置されている。【選択図】図１
2013022821.tif 000002
【特許請求の範囲】
【請求項１】
小売店舗における商品の盗難防止方法であって、
小売店舗に商品を入荷した後、当該小売店舗において、印字装置を用いて、前記商品のパッケージに当該小売店舗のブランド表示を含む識別子を印字する、小売商品の盗難防止方法。
【請求項２】
ドット文字列を刻印するための複数のピン又は突起が円周面に設けられたローラと、このローラを回転可能に支持する回転軸と、この回転軸を支持するガイドとを備え、
前記複数のピン又は突起は、商品のパッケージに押圧されながら、前記ローラが回転することにより、当該商品のパッケージに小売店舗のブランド表示を含む識別子を刻印するように配置されている、刻印装置。
【請求項３】
前記ドット文字列を構成する文字の向きが前記ローラの回転軸に対し斜めになるように、前記ピン又は突起を配置した請求項２に記載の刻印装置。
【請求項４】
請求項２又は３に記載の刻印装置を前記印字装置として用いる請求項１に記載の小売商品の盗難防止方法。
【発明の詳細な説明】
【技術分野】
【０００１】
本発明は、小売店舗において商品の盗難を防止する方法に関する。
【背景技術】
【０００２】
商品の盗難を防止するために、小売店では幾つかの対策を実施している。例えば、商品のパッケージだけを陳列し、その空のパッケージを会計に持っていくと、会計で商品に代えてくれる方法がある。
【０００３】
また、商品のパッケージにタグを添付し、このタグを電磁的に検知し、商品の不正な持ち出しを検出する方法がある（例えば、特許文献１）。
【０００４】
しかし、これらの対策にもかかわらず、小売店における商品の大量盗難が後を絶たない。上記のような対策があっても、会計所や店舗倉庫から商品を大胆に持ち去る犯行がある。また、タグの電磁気を無効化して持ち去る手口もある。犯人はグループで行動し、巧妙に大量盗難を実行する。
【先行技術文献】
【特許文献】
【０００５】
【特許文献１】特開２０００−２５９９５８号公報
【発明の概要】
【発明が解決しようとする課題】
【０００６】
本発明は、以上のような小売店舗における商品の盗難を防止することを課題とする。
【課題を解決するための手段】
【０００７】
本発明では、犯人が盗品を売り捌くことができないようにすることによって、盗む価値を無くし、これにより、商品の盗難を防止する。
【０００８】
本発明では、小売店舗に商品を入荷した後、当該小売店舗において、印字装置を用いて、各商品のパッケージ（個装、個装箱、消費者包装）に当該小売店舗のブランド表示を含む識別子を印字する。
【０００９】
小売店のブランド表示を含む識別子をパッケージに印字した商品は、盗んでも転売することができない。なぜなら、その商品を置いていた小売店のブランド表示がパッケージに明記されているので、他のルートで販売しようとすれば、怪しまれるからである。このため、転売を目的とした犯人にとって盗む価値は無くなり、結果として盗難を防止することができる。
【００１０】
小売店の識別子には、その小売店のブランド表示に加え、当該ブランド内で管理されている小売店の店番などの識別子を含めるとよい。この場合仮に盗難されても、盗品を置いていた小売店舗を一意に特定することができ、押収した盗品の返却先や、損害を被った小売店舗を一意に特定することができる。
【００１１】
また、小売店の識別子には、その小売店が所在する国の識別子を含めてもよい。盗品が海外に転売された場合でも、どの国の小売店に置かれていた商品であるかを特定することができる。
【００１２】
印字装置は、パッケージに対しドット文字を刻印するものがよい。一見してパッケージへの印字が目立たないし、かつ、盗難犯が印字を取り去ろうとしても、取り去ることが出来ないからである。
【００１３】
本発明の印字装置は刻印装置であって、ドット文字を刻印するための複数のピン又は突起（以下「ピン等」という）が円周面に設けられたローラと、このローラを回転可能に支持する回転軸と、この回転軸を支持するガイドとを備えている。前記複数のピン等は、商品のパッケージに押圧されながら、前記ローラが回転することにより、当該商品のパッケージに小売店舗のブランド表示を含む識別子を刻印するように配置されている。
【００１４】
使用者は、装置を手に持ち、ピン等を商品パッケージに適度に押圧する。その状態のまま、パッケージの面に沿ってローラを転がすと、ピン等がパッケージ面にドットを刻み、パッケージに小売店舗のブランド表示を含む識別子が刻印される。
【００１５】
前記ピン等は、前記ドット文字の向きが前記ローラの回転軸に対し斜めになるように配置するとよい。このようにすると、通常ローラの回転軸と平行になる文字の一部のピン等の並びが、ローラの回転軸に対し斜めに配置されるので、ローラ回転の際、これらのピン等がパッケージに押圧されるタイミングにズレが生じ、各ピン等とパッケージとの間にかかる圧力の分散が抑えられる。このため、各ピン等によるドット形成力が高まり、ドット文字を刻みやすくなる。
【発明の効果】
【００１６】
本発明によれば、小売店舗における商品の盗難を防止することができる。
【図面の簡単な説明】
【００１７】
【図１】図１は、本願発明である刻印装置の実施形態を示す構成図である。
【図２】図２は、図１に示すローラの円周面を示す展開図である。
【発明を実施するための形態】
【００１８】
以下、本発明の実施形態を説明する。図１は、本発明の実施形態である刻印装置１０を示している。この図１において、手持ち用のハンドル１の一端部には、コ字状のガイド２が装備されている。このコ字状のガイド２には、回転軸３が回転可能に架け渡されている。回転軸３は、ローラ４の回転軸である。ローラ４はコ字状のガイド２の間に挿入されている。ローラ４の円周面には、複数のピン５が設けられている。ただし、図１の平面図および側面図では、ピン５の図示を一部省略している。実際には、ピン５は、ローラ４の円周面のほぼ全面に設けられている。
【００１９】
図２は、ローラ４の円周面を平面に展開したときのピン５の配置を示している。このピン５の配置は一例である。実線で囲んだ枠の中には、ローラ４の円周面に設けられたピン５の配置を示している。一方、点線で囲んだ枠の中には、このピン５によってパッケージに刻印されるドット文字を示している。
【００２０】
このピン５によって商品のパッケージに刻印されるドット文字の列は、当該商品を入荷した小売店舗の識別子を表している。この識別子は、当該商品を入荷した小売店舗が所在する国の記号と、当該小売店舗のブランドを識別する識別番号と、当該ブランドのブランド名（ブランド表示）と、当該ブランドの中で管理される小売店舗の識別番号とを含んでいる。図２の例では、国の記号として日本を表す「JP」と、ブランドの識別番号「１」と、ブランド名「WELSEIM」と、当該ブランド内で管理される３９番目の小売店舗であることを表す店番「３９」とを含んでいる。
【００２１】
ピン５が商品パッケージに押圧された状態で、ローラ４が回転し、ローラ４が回転方向に進行したとき、パッケージ面には、図２に示す小売店舗の識別子が刻印されるように、ローラ４の円周面には、複数のピン５が所定位置に配置されている。
【００２２】
図２に示すように、ドット文字列は、ローラ４の円周面の回転方向に対し、幾分斜めに配置されている。このため、各ドット文字を構成する縦の直線（横書き文字列ならば文字の縦の直線。縦書き文字列ならば文字の横の直線）が、ローラ４の回転軸３の方向に対し幾分斜めに配置される。つまり、文字の当該部分の直線に対応するピン５の並びが、ローラ４の回転軸３の方向に対し幾分斜めに配置されている。
【００２３】
このため、例えば、Lの文字の縦線を刻印するとき、ローラ４が回転すると、当該縦線を刻印する各ピン５の、パッケージに押圧されるタイミングにズレが生じ、各ピン５とパッケージとの間にかかる圧力の分散が抑えられる。このため、各ピン５によるドット形成力が高まり、ドット文字を刻みやすくなる。
【００２４】
本実施形態では、ドット文字列全体を、ローラ４の円周面の回転方向に対し、幾分斜めに配置したが、ドット文字列の向きを円周面の回転方向と平行にしたまま、各文字の向きを幾分回転させても、本実施形態と同様の効果を得ることができる。
【００２５】
なお、文字の向きを本実施形態のように回転させなくても、ドット文字を刻印することは可能である。
【００２６】
図１に戻り、装置の構造を更に説明すると、本実施形態において、ハンドル１は横断面を円形とする棒状に形成されている。ハンドル１とコ字状のガイド２とは、個別の部品で構成されていてもよいし、両者が一体的に成型されていてもよい。回転軸３は、ローラ４の回転中心に固定されると共に、ガイド２に設けられた軸受穴に摺動可能に支持されている。これに関わらず、回転軸３をガイド２に固定し、回転軸３をローラ４の回転中心に設けた軸穴に挿通するように構成してもよい。又は、回転軸３は、ローラ４およびガイド２の両者に対し相対的に回転可能に取り付けられてもよい。ピン５は、ローラ４の円周面に対し垂直に植設してもよいし、ローラ４と一体的に成型してもよい。ピン５に代えて、円錐状などの形状の突起としてもよい。各部材１〜５は、樹脂で製造してもよいし、金属で製造してもよいし、部材に応じて樹脂と金属の両方を用いてもよい。
【００２７】
この刻印装置１０を用い、次のように商品の盗難を防止する。小売店舗の担当者は、刻印装置１０を用い、入荷した商品のパッケージに自店舗の識別子を刻印する。刻印装置１０のハンドル１を手に持ち、ローラ４の円周面をパッケージに押し当てながらローラ４を転がすと、ローラ４に設けられたピン５の先端がパッケージにドットを刻み、パッケージにドット文字列が刻印される。このドット文字列が、自店舗の識別子をパッケージに表示する。
【００２８】
こうして、パッケージに自店舗の識別子を刻印した後、商品を陳列する。小売店のブランド表示を含む識別子をパッケージに刻印された商品は、盗んでも転売することができない。なぜなら、その商品を置いていた小売店のブランド名がパッケージに明記されているので、他のルートで販売しようとすれば、怪しまれるからである。このため、転売を目的とした犯人にとって盗む価値が無くなり、結果として盗難を防止することができる。
【００２９】
また、小売店の識別子には、その小売店のブランドに加え、当該ブランド内で管理されている小売店の店番を含んでいるので、仮に盗難されても、盗品を置いていた小売店舗を一意に特定することができ、押収した盗品の返却先や、損害を被った小売店舗を一意に特定することができる。
【００３０】
また、小売店の識別子には、その小売店が所在する国の識別子を含めているので、盗品が海外に転売された場合でも、どの国の小売店に置かれていた商品であるかを特定することができる。
【００３１】
また、パッケージに対しドット文字を刻印する刻印装置１０を用いることにより、パッケージへの印字が目立たず、かつ、盗難犯が印字を取り去ろうとしても、取り去ることが出来ないというメリットがある。
【００３２】
ここで、本発明は、以上説明した実施形態に限られない。刻印装置のハンドル、ガイド、回転軸およびローラのサイズ、形状や材質は、本発明の目的を達するものであればよい。また、ローラの円周面に設けるピンの太さ、長さおよび材質も、本発明の目的を達するものであればよい。また、ピンが形成するドット文字列は、小売店舗のブランド表示を含む識別子であればよく、その他の文字列の内容を問わない。
【符号の説明】
【００３３】
１  ハンドル
２  ガイド
３  回転軸
４  ローラ
５  ピン
１０  刻印装置
【図１】
2013022821.tif 000003
【図２】
2013022821.tif 000004